(57)【特許請求の範囲】
【請求項１】
フイルムへの露光範囲を決めるアパーチャーを挟むように、ロール状にしたフイルムを収納するフイルムロール室と撮影済みのフイルムが巻き込まれるカートリッジを収納するカートリッジ室とが設けられた本体基部と、この本体基部の前面と背面とをそれぞれ覆う前カバー及び後カバーと、本体基部の前面と前カバーとの間に配置され、ストロボ放電管を含むストロボ用の回路素子が組み付けられた平板状の回路基板とを備えたレンズ付きフイルムユニットにおいて、
前記回路基板の背面に、一端が前記ストロボ放電管からの光を受け入れる光入射端となり、他端が前記露光範囲外にプリント範囲指定用のマークを写し込むために前記アパーチャーから外れた位置に形成された開口に向けてストロボ放電管からの光を射出させる光射出端となるライトガイドが固定され、前記ストロボ放電管の一部が回路基板の背面側に露呈されており、前記ライトガイドの一端は、この一部からの光を受け入れることを特徴とするレンズ付きフイルムユニット。
【発明の詳細な説明】
【０００１】
【発明の属する技術分野】
本発明は、ストロボ放電管を含むストロボ用の回路素子が組み付けられた平板状の回路基板を備えたレンズ付きフイルムユニットに関するものである。
【０００２】
【従来の技術】
レンズ付きフイルムユニットは、簡単な撮影機構を備え、予め新品のフイルムカートリッジが収納されており、購入するだけで誰にでも手軽に撮影が楽しめ、撮影が終了するとそのままの状態で現像所に提出すればよいため、一般に広く利用されている。レンズ付きフイルムユニットは、露光範囲を決定する露光枠部材を挟む両側にフイルムロール室とカートリッジ室とを一体に設け、各室にロール状にしたフイルムと撮影済みのフイルムを収納するカートリッジとをそれぞれ収納した本体基部と、この本体基部を前後から覆う前カバー及び後カバーとから構成されている。
【０００３】
ストロボ内蔵型のレンズ付きフイルムユニットの場合、配線プリントを施した回路基板に、メインコンデンサ，ストロホ放電管を備えた発光部，ストロボの電源としての乾電池組み込み用のバッテリーホルダー等を組み込んで１ユニット化したものを爪結合により組み込んでいる。
【０００４】
また、近年、プリント写真の魅力や楽しみをより一層一般のユーザーに広げるために、撮影された被写体の種類や大きさによって、アスペクト比の異なるプリント写真が提供されている。このようなプリント写真として、画像を従来の標準サイズであるＣサイズプリント（８９ｍｍ×１２７ｍｍ）の他、横方向の長さを倍にしたパノラマプリント（８９ｍｍ×２５２ｍｍ）やハイビジョンテレビ放送での画面アスペクト比に近似させたＨサイズプリント（８９ｍｍ×１５８ｍｍ）等が一般に知られている。
【０００５】
上述したようなアスペクト比の異なるプリント写真を得るために、撮影時にはフルサイズ（例えば２４ｍｍ×３６ｍｍ）で全コマを露光するとともに、各コマの露光範囲外にプリント範囲を指定する光学マークを記録しておき、プリント時にはその光学マークを読み取って各コマを指定されたプリント範囲でプリントする方法が開示されている。
【０００６】
上記プリント方法に対応するために、アパーチャーから外れた位置に写し込み開口と設けるとともに、この写し込み開口と回路基板との間に、ストロボ放電管の光を一端から受け入れて他端から写し込み開口に向けて射出するライトガイドを配置して、露光範囲外にプリント範囲を指定する光学マークを写し込むようにしたレンズ付きフイルムユニットが本出願人から提案されている。
【０００７】
【発明が解決しようとする課題】
ところで、上述したレンズ付きフイルムユニットは、使用済みとなるとメーカーにより回収され、本体基部から前カバー，後カバー，回路基板等を取り外し後、各部品に分別されてリサイクル及びリユースされる。したがって、前述したようにライトガイドを写し込み開口と回路基板との間に配置したレンズ付きフイルムユニットの場合、ライトガイドの取り外し・組み込み工程が新たに必要となり、リサイクル及びリユース性を悪化させる恐れがあった。
【０００８】
本発明は上述した従来技術のもつ欠点を解決するためになされたもので、プリント範囲指定用の光学マークを写し込むためのライトガイドを設けたことによるリサイクル及びリユース性の悪化を防止できるレンズ付きフイルムユニットを提供することを目的とする。
【０００９】
【課題を解決するための手段】
上記目的を達成するために、本発明のレンズ付きフイルムユニットは、回路基板の背面に、一端がストロボ放電管からの光を受け入れる光入射端となり、他端が露光範囲外にプリント範囲指定用のマークを写し込むためにアパーチャーから外れた位置に形成された開口に向けてストロボ放電管からの光を射出させる光射出端となるライトガイドが固定され、ストロボ放電管の一部が回路基板の背面側に露呈されており、ライトガイドの一端は、この一部からの光を受け入れることを特徴とするものである。
【００１０】
【発明の実施の形態】
図８に、プリント範囲指定用の光学マークを写し込む手段を備えたＨサイズ撮影用のレンズ付きフイルムユニットの一例を示す。レンズ付きフイルムユニット２は、予めフイルムカートリッジが装填され各種撮影機構が組み込まれたユニット本体３と、これを部分的に覆うラベル４とから構成されている。
【００１１】
ユニット本体３の上面にはシャッタボタン６等が設けられ、前面には対物レンズ８を露呈する対物窓８ａ，撮影レンズ９を露呈する撮影窓９ａ，電源スイッチ１０，ストロボ発光部１１の他、後述するノブ１２が設けられている。ユニット本体３の背面側には、撮影毎に回動操作される巻き上げノブ１３が露呈されている。ラベル４は裏面に接着剤が塗布されてユニット本体３の中央部分に帯状に貼付されている。
【００１２】
ノブ１２はプリント範囲を設定するときに操作されるもので、長孔１４に沿ってスライド自在になっている。外装ラベル４には、長孔１４の周辺に各々のプリント範囲を設定するときのノブ１２の位置を示す記号Ｃ（Ｃサイズプリント範囲），Ｐ（パノラマプリント範囲），Ｈ（Ｈサイズプリント範囲）が印刷されている。対物レンズ８を露呈する対物窓８ａは、Ｈサイズプリント（８９ｍｍ×１５８ｍｍ）に対応して形成されている。
【００１３】
図１に、ユニット本体の分解斜視図を示す。本体基部１６には、フイルム２５をロール状にして収納するフイルムロール室２６と撮影済みのフイルム２５を巻き込み収納するカートリッジ２７を収納するカートリッジ室２８とが形成されている。フイルムロール室２６とカートリッジ室２８との間には、フイルム面に露光画面を形成するアパーチャー２９を備えた露光枠部材３０が形成されている。この露光枠部材３０のアパーチャー２９から外れた位置には、フイルム面の露光範囲外に光学マークを写し込む写し込み開口３１，３２が形成されており、１個の開口３３ａを備えたマーク切り換え板３３が横スライド自在に組み込まれている。
【００１４】
カートリッジ室２８の上部には巻き上げノブ１３が回動自在に配設されている。巻き上げノブ１３の軸は、カートリッジ２７に回動自在に組み込んだスプール２７ａの一端に係合されており、巻き上げノブ１３を回動することによって、フイルム２５をカートリッジ２７に巻き取るようになっている。
【００１５】
露光ユニット１７は、シャッタチャージ機構，シャッタ駆動機構，カウンタ機構，フイルム巻止め機構等をベース部材３５に組み込んで構成されており、露光枠部材３０に設けた遮光筒３０ａに組み込まれている。ベース部材３５の前面には撮影レンズ９を取り付けたレンズホルダ３６が組み込まれており、レンズホルダ３６の前面にはマーク露光窓３６ａ，３６ｂが形成されている。
【００１６】
この露光ユニット１７は、図２に示すように、ベース部材３５の上部に一体に形成された複数本の軸にシャッタ駆動レバー４２，係止レバー４５，カム部材４６が回動自在に組み付けられている。カム部材４６の下端部に係合され、カム部材４６と一体に回転する従動スプロケット４４は、フイルム２５のパーフォレーションに噛合されており、フイルム２５の１コマ分がカートリッジ２７内に巻き上げられる際に従動回転し、カム部材４６も図中反時計方向に半回転される。シャッタ駆動レバー４２と係止レバー４５は、それぞれ別々のバネによって図中反時計方向と時計方向とに付勢されており、シャッタ駆動レバー４２はカム部材４６の回転によってバネの付勢に抗してチャージ位置側である図中時計方向に回動される。
【００１７】
係止レバー４５は、カム部材４６が回転すると僅かに時計方向に回動し、シャッタ駆動レバー４２をチャージ位置で係止して保持する。この際の係止レバー４５は、カム部材４６と巻き上げノブ１３とに係合して回転を阻止し、フイルム巻き止めを行う。レリーズボタン６が押圧されると、レリーズボタン６の底部に一体に形成されたレバー部材６ａ（図６参照）が係止レバー４５をバネの付勢に抗して図中反時計方向に回動させる。これにより、シャッタ駆動レバー４２はチャージ位置での保持が解除され、バネの付勢によって反時計方向に回動する。
【００１８】
ベース部材３５の前面にはシャッタ開口３５ｃが設けられ、この斜め上方に突設したピン３５ｄにシャッタ羽根４０が軸着されている。ベース部材３５の底部には、マーク露光路３５ａ，３５ｂが形成されている。マーク露光路３５ａ，３５ｂは、写し込み開口３１，３２とマーク露光窓３６ａ，３６ｂとを繋ぐ光路になっている。シャッタ羽根４０にはシャッタ開口３５ｃを開閉するための開閉部４０ａに一体に、マーク露光窓３６ａ，３６ｂを開閉するためのマスク部４０ｂが設けられている。
【００１９】
シャッタ羽根４０に一体に設けたピン４０ｃには、ベース部材３５の端面に突設したピン３５ｅに一端が掛けられた金属製のコイルバネ４５の他端が掛けられており、シャッタ開口３５ｃとマーク露光窓３６ａ，３６ａを閉じる位置にシャッタ羽根４０をバネ付勢している。シャッタ羽根に一体に設けたシャッタ駆動用の突起４０ｄは、シャッタレリーズ操作に応動してシャッタ駆動レバー４２に一体に設けた蹴飛ばしレバー４９により蹴飛ばされる。これにより、シャッタ羽根４０が駆動され、シャッタ開口３５ｃとマーク露光窓３６ａ，３６ｂの両方を同時に開閉する。
【００２０】
前カバー１９は、露光ユニット１７を覆うようにして本体基部１６の前面側に組み込まれている。前カバー１９には、フイルムロール室２６を覆っている部分にスリット状の溝部１９ａが形成されており、これに電源スイッチ１０の押圧部１０ａがスライド自在に組み込まれている。
【００２１】
後カバー２０は、本体基部１６の背面側に組み込まれており、フイルム２５とカートリッジ２７とをそれぞれ収納したフイルムロール室２６とカートリッジ室２８とを覆っている。後カバー２０の底部に設けた底蓋２０ａ，２０ｂにより、フイルムロール室２６とカートリッジ室２８との各々の底部開口が光密に閉じられている。
【００２２】
ストロボユニット１８は、図４にも示すように、ストロボ発光部１１，メインコンデンサ５５，乾電池５６のバッテリーホルダー５７，充電完了ランプ５８，シンクロスイッチ５９等が組み込まれ、プリント接点５３ａ，５３ｂを含む周知の配線プリントが施された平板状の回路基板５３からなっている。この回路基板５３に電力を供給する乾電池５６とで、電源スイッチ１０をＯＮにして押圧部１０ａにより電気接片４０がプリント接点４３ａ対が短絡された状態で、ストロボ発光が可能なストロボ発光準備状態に常時するストロボ装置を構成している。図３にこのストロボ装置の回路の一例を示す。
【００２３】
電源スイッチ１０をＯＮ位置にすると、図６に示すように、電源スイッチ１０の押圧部１０ａがフイルムロール室２６の頂部に組み込んだ電気接片３４を押圧する。電気接片３４はプリント接点５３ａ，５３ｂを短絡させ、メインコンデンサ４５への充電が開始される。メインコンデンサ４５への充電が規定のレベルに達すると充電完了ランプ５８が点滅される。シャッタレリーズ操作によりシャッタ羽根４０が回動すると、シャッタ羽根４０に一体に設けられたシンクロスイッチ短絡用の突起４７ｂがシンクロスイッチ５９に接触して金属片を短絡させ、ストロボ発光部１１内のストロボ放電管６０が発光する。そして、再びメインコンデンサ５５に規定のレベルまで充電が行なわれて、ストロボ発光準備状態となる。
【００２４】
回路基板５４の背面側には、各部に光反射屈折面を有し、射出成形品で構成されたライトガイド６２が固定されている。ライトガイド６２の一端部６２ａはストロボ放電管６０からの光を受け入れる光入射端となっており、他端部６２ｂはマーク露光窓３６ａ，３６ｂを通して写し込み開口３１，３２にストロボ放電管６０からの光を射出させる光射出端となっている。
【００２５】
図４に示すように、回路基板５３の背面側にはメインコンデンサ５５，乾電池５６のバッテリーホルダー５７，充電完了ランプ５８等が組み込まれている。回路基板５３の上部に組み込まれたストロボ発光部１１は、箱型をしたケース部材６３の背面側にはストロボ放電管６０を組み込んで構成している。ストロボ放電管６０の中央部はケース部材６３に設けたリフレクター内に通されて、ケース部材６３の前方に組み込んだ透明カバー６４を通してレンズ付きフイルムユニット２の前面に露呈されている。ストロボ放電管６０が発光すると、その光はリフレクターで反射して透明カバー部を通ってレンズ付きフイルムユニット２の前方に照射される。
【００２６】
ストロボ放電管６０の両端部は、配線のために回路基板５３の背面側に露呈している。回路基板５３の背面に固定されたライトガイド６２の一端部６２ａは、回路基板５３の背面側に露呈されたストロボ放電管６０の一端部に近接して配置されており、ストロボ放電管６０から光を受け入れるようになっている。
【００２７】
前カバー１９と露光ユニット１７との間には、視野切り換え板６６が配置されている。視野切り換え板６６は、レンズホルダ３６の前面に一体に設けた支持軸３６ａに回動自在に組み込まれている。この視野切り換え板６６は、対物窓８ａによってＨサイズプリントのアスペクト比に対応している視野をプリント範囲に応じて制限するものであり、パノラマプリント（８９ｍｍ×２５２ｍｍ）に対応したパノラマ視野開口６７と、Ｃサイズプリント（８９ｍｍ×１２７ｍｍ）に対応したＣサイズ視野開口６８とが回転軸中心のまわりに形成されている。この他に、撮影レンズ９を露呈させる円弧状切欠６９が設けられている。
【００２８】
視野切り換え板６６の前面に一体に設けたノブ１２は長孔１４から操作可能に露呈されている。ノブ１２がＨ位置の時、視野切り換え板６６は対物窓８ａから退避しているので、Ｈサイズプリントに対応した視野となる（図５（Ａ）参照）。ノブ１２がＣ位置の時、Ｃサイズ視野開口６８が対物レンズ８の前方に挿入され、Ｃサイズ視野開口６８により対物窓８ａが左右から制限されて、Ｃサイズプリントに対応した視野となる（図５（Ｂ）参照）。ノブ１２がＰ位置の時、パノラマ視野開口６７が対物レンズ８の前方に挿入され、パノラマ視野開口６７により対物窓８ａが上下から制限されて、パノラマプリントに対応した視野になる（図５（Ｃ）参照）。
【００２９】
視野切り換え板６６には、図５に示すように、バネ７０がかけられて反時計方向に付勢されている。また、視野切り換え板６６のまわりには、ノブ１２がＨ位置のときの視野切り換え板６６の反時計方向の回転を規制するストッパ７１が設けられている。長孔１４には、ノブ１２との間にクリック機構を構成してＣ位置，Ｐ位置でノブ１２の回転を規制するクリック爪１４ａ，１４ｂが設けられている。
【００３０】
マーク切り換え板３３には連動レバー７３の一端部が連結され、連動レバー７３の他端部は視野切り換え板６６の下部に連結されている。視野切り換え板６６の回転によって連動レバー７３を介してマーク切り換え板３３が横スライドされるようになっている。
【００３１】
ノブ１２がＨ位置にされた時には、マーク切り換え板３３の開口窓３３ａが写し込み開口３１，３２の間に移動した状態となり、開口窓３３ａを挟む両側で写し込み開口３１，３２の両方が塞がれて、ドット８０の写し込みが不能となる（図５（Ａ）参照）。ノブ１２がＣ位置にされた時には、開口窓３３ａが写し込み開口３１に対面する位置に移動した状態となり、開口窓３３ａと開口窓３３ａを挟む一方側の脇から写し込み開口３１，３２の両方が露呈され、写し込み開口３１，３２の両方から２個のドット８０の写し込みを可能となる（図５（Ｂ）参照）。ノブ１２がＰ位置にされた時には、開口窓３３ｂが写し込み開口３２に対面する位置に移動した状態となり、開口窓３３ａを挟む一方側で写し込み開口３１のみが塞がれて、写し込み開口３１による１個のドットの写し込みが可能となる（図５（Ｃ）参照）。
【００３２】
前カバー１９と視野切り換え板３７との間には、マスク板７４が配置されている。このマスク板７４は前カバー１９に設けた撮影窓９ａと対物窓８ａを覆いえる広さを備えている。マスク板７４の他端部を電気接片３４に向けて延して形成した延長片７５は電源スイッチ１０のレバー部１０ａに固定されている。マスク板７４は、電源スイッチ１０の操作により、前カバー１９の背面に沿って、撮影窓９ａと対物窓８ａを塞ぐ閉じ位置（図６（Ｂ）参照）と撮影窓９ａと対物窓８ａを露呈する開き位置（図６（Ａ）参照）との間で横スライド自在になっている。
【００３３】
マスク板７４の他端には、前カバー１９の上面に沿ってレリーズボタン６に向けて延ばされたレリーズロックレバー７６が形成されている。電源スイッチ１０の操作により、レリーズロックレバー７６の先端部がレリーズボタン６の底部に設けたレバー部材６ａに当接してレリーズボタン６の押下を規制する位置（図６（Ｂ）参照）と、レリーズボタン６から離れてレリーズボタン６の押下を可能にする位置（図６（Ａ）参照）との間で移動する。
【００３４】
上記構成のレンズ付きフイルムユニット２を使用する場合、電源スイッチ１０をＯＮ位置にして、撮影レンズ９と対物レンズ８の前方からマスク板３８を退避させ、撮影レンズ９と対物レンズ８を露呈する。これにより、電源スイッチ１０の押圧部１０ａが電気接片３４を押圧してプリント接点５３ａ，５６ｂを短絡し、メインコンデンサ５５への充電が開始される。メインコンデンサ５５が規定のレベルまで充電されると充電完了ランプ５８が点滅して、ストロボ発光準備状態となる。
【００３５】
巻き上げノブ１３を操作してフイルム１コマ巻き上げを行い、撮影コマをアパーチャー２９にセットする。マーク露光窓３６ａ，３６ｂはシャッタ羽根４０により閉じられているので、レリーズボタン６を設けるためにレリーズボタン６に廻りに設けた切欠や、撮影窓９ａ，対物窓８ａ等から外光が内部に侵入した場合にも曝光されることはない。
【００３６】
被写体の構成等に応じてノブ１２を操作して、Ｈ，Ｃ，Ｐのいずれかの位置にして撮影を行う。例えば、ノブ１２をＨ位置にしてＨサイズプリントを指定した場合、視野切り換え板６６は対物レンズ８の前方から退避して対物窓８ａを遮らないので、この対物窓８ａのみによりＨサイズプリントに対応したファインダ視野範囲が形成される。
【００３７】
撮影者は、このＨサイズプリントに対応したファインダ視野範囲内に被写体を捉えてシャッタボタン６を押し下げる。シャッタレリーズ操作に応動したシャッタ駆動レバー４２に一体に設けた蹴飛ばしレバー４９が、シャッタ羽根４０の突起４０ｄを蹴飛ばしてシャッタ羽根４０を回動する。シャッタ羽根４０がシャッタ開口３５ｃとマーク露光窓３６ａ，３６ｂとを開放してフイルム面に露光画面を形成する。シャッタ羽根４０が引き続き回転し、シャッタ羽根４０に一体に設けたストロボ駆動用の突起４０ｅがシンクロスイッチ４９の金属片に接触するとシンクロスイッチ５９がＯＮになり、ストロボ放電管６０が発光する。その後、バネ付勢によってシャッタ羽根４０は反回転して、シャッタ開口３５ｃとマーク露光窓３６ａ，３６ｂとを閉じる。
【００３８】
ストロボ放電管６０からの光は一端部６２ａから入り、ライトガイド６２を通って他端部６２ｂからマーク露光窓３６ａ，３６ｂ及びマーク露光路３５ａ，３５ｂを通って写し込み開口３１，３２に放出される。このときマーク切り換え板３３の開口窓３３ａは、写し込み開口３１，３２の間に配置され、マーク切り換え板３３の開口窓６３ａを挟む両側で写し込み開口３１，３２が両方とも塞がれているから、他端部６２ｂから放出された光は遮断されてフイルム面には到達せず、ドット８１は露光されない（図７（Ｃ）参照）。ドット７１無しの場合、プリント範囲の指定がＨサイズであることを表している。なお、充電開始ボタン１０を押圧していた場合には、シャッタ羽根によるシンクロスイッチ４９がオンした時に、発光部４４からストロボ光が放たれる。
【００３９】
また、Ｃサイズプリントを選択する場合、撮影者はノブ１２を移動して記号Ｃに合わせる。これにより視野切り換え板６６が反時計方向に回転してＣサイズ視野開口６８が対物レンズ６の前方に挿入され、Ｃサイズ視野開口６８により対物窓８が左右から制限されて、Ｃサイズプリントに対応したファインダ視野範囲が形成される。
【００４０】
撮影者は、Ｃサイズプリントに対応したファインダ視野範囲内に被写体を捉えてシャッタボタン６を押し下げる。シャッタレリーズ操作に応動して、上述した手順によりシャッタ羽根４０が駆動されてストロボ放電管６０が発光する。シャッタ開口３５ｃとマーク露光窓３６ａ，３６ｂが開閉されて、フイルム面に露光画面を形成する。この場合、ストロボ放電管６０からの光は光入射端６２ａから入り、ライトガイド６２を通って光射出端６２ｂからマーク露光窓３６ａ，３６ｂを介して写し込み開口３１，３２に向けて放出される。このとき写し込み開口３１と開口窓６３ａが一致しているため、開口窓６３ａと開口窓６３ａを挟む一方側の脇から写し込み開口３１，３２の露呈させれて、写し込み開口３１，３２の両方から２個のドット７１を露光する（図４（Ａ）参照）。ドット７１が２個の場合、プリント範囲の指定がＣサイズであることを表している。
【００４１】
また、パノラマプリントを選択する場合、撮影者はノブ１２を移動して記号Ｐに合わせる。これによりパノラマ視野開口６７が対物レンズ８の前方に挿入され、パノラマ視野開口６７により対物窓８ａが上下から制限されて、パノラマプリントに対応したファインダ視野範囲が形成される。
【００４２】
撮影者は、パノラマサイズプリントに対応したファインダ視野範囲内に被写体を捉えてシャッタボタン６を押し下げる。シャッタレリーズに応動して、上述した手順によりシャッタ羽根４０が駆動されてストロボ放電管６０が発光する。シャッタ開口３５ｃとマーク露光窓３６ａ，３６ｂを開閉されて、フイルム面に露光画面を形成する。ストロボ放電管６０からの光は光入射端６２ａから入り、ライトガイド６２を通って光射出端６２ｂからマーク露光窓３６ａ，３６ｂを介して写し込み開口３１，３２に向けて放出される。開口窓６３ｂを写し込み開口３２に対面する位置に移動しているので、開口窓６３ａを挟む一方側で写し込み開口３１のみが塞がれて、写し込み開口３２から１個のドット８１を露光する（図７（Ｂ）参照）。ドット８１が１個の場合、プリント範囲の指定がパノラマであることを表している。
【００４３】
また、途中で撮影をやめる場合には、電源スイッチ１０をＯＦＦ位置にする。これにより、マスク板３８を撮影レンズ９と対物レンズ８の前方にそれぞれ挿入して、撮影窓９ａと対物窓８ａをマスク板３８で覆い、撮影レンズ９や対物レンズ８への塵埃の付着や傷付きを防止できる。また、レリーズロックレバー３８ｄがレリーズボタン６の底部に設けたレバー部材に当接して、レリーズボタン６の押下を規制することができる。また、電気接片４０が押圧されないのでストロボが充電されず、無駄な電源の消耗を回避できる。そのため、電源スイッチ１０をＯＦＦ位置にすれば、フイルム１コマ巻き上げを行ったまま携帯できる。
【００４４】
レンズ付きフイルムユニット２は撮影が終了すると現像所に提出される。底蓋２０ａが開放され、撮影済みのフイルム２５をすべて巻き取り収納したカートリッジ２７が取り出される。フイルム２５は現像処理された後、自動プリンタにセットされる。自動プリンタは、センサ等でフイルム２５の露光範囲外を１コマごとに走査する。図７（Ａ）に示す２個のドット８１を検出した場合には、この撮影コマをＣサイズのプリント写真に焼付け、また図７（Ｂ）に示す１個のドット８１を検出した場合には、この撮影コマをパノラマのプリント写真に焼付ける。そして、図７（Ｃ）に示すように１個のドット８１も検出できない場合には、この撮影コマをＨサイズのプリント写真に焼付ける。
【００４５】
フイルムカートリッジ１６を取り出されたレンズ付きフイルムユニット２はメーカーによって回収され、本体基部１６から、前カバー１９，後カバー２０，露光ユニット１７，ストロボユニット１８等に分解されて各部品ごとにリサイクル及びリユースされる。ストロボユニット１８の回路基板５３の背面側にライトガイド６２は固定されているため、ストロボユニット１８を本体基部１６から取り外すことで、ライトガイド６２を一体に取り外すことができる。検査・清掃等が行われたストロボユニット１８は、新たな本体基部に組み込まれて使用されるが、この組み込みもストロボユニット１８と一体に行えるので、レンズ付きフイルムユニットの良好な分解・組立性に貢献できる。
【００４６】
なお、上述したライトガイドを、断面が円形の複数本の透明プラスチックファイバーで構成してもよい。この場合、ファイバーの一方端を１つに束ねて光入射端を構成し、他方端を２束に分けて光射出端を構成し、光入射端と光射出端との間をゴムチューブで被覆するものである。ドットの数と各プリント範囲との対応を、２個のドットでＣサイズ、１個のドットでパノラマサイズ、ドット無しでＨサイズとしたが、本発明はこれらに限定されるものでないのは勿論である。また、プリント範囲をＣサイズ、パノラマサイズ、Ｈサイズの３種類としたがこれに限られるものではない。
【００４７】
【発明の効果】
以上のように、本発明によれば、回路基板の背面に、一端がストロボ放電管からの光を受け入れる光入射端となり、他端が露光範囲外にプリント範囲指定用のマークを写し込むためにアパーチャーから外れた位置に形成された開口に向けてストロボ放電管からの光を射出させる光射出端となるライトガイドを固定しているので、ライトガイドを回路基板と一体に本体基部から取り外し及び組み込みが行える。ライトガイドの取り外し・組み込み工程が不用となるので、良好なリサイクル及びリユース性に貢献することができる。
【図面の簡単な説明】
【図１】本発明のレンズ付きフイルムユニットの分解斜視図である。
【図２】露光ユニットの分解斜視図である。
【図３】ストロボ装置の回路図である。
【図４】ストロボユニットを背面側から見た斜視図である。
【図５】視野切り換え板とマーク切り換え板の動作説明図である。
【図６】電源スイッチの操作に係わる説明図である。
【図７】ドットが写し込まれた写真フイルムの様子を示す説明図である。
【図８】レンズ付きフイルムユニットの斜視図である。。
【符号の説明】
２  レンズ付きフイルムユニット
１６  本体基部
１９  前カバー
２０  後カバー
２５  フイルム
２７  カートリッジ
５３  回路基板
６０  ストロボ放電管
６２  ライトガイド
６２ａ  一端部
６２ｂ  他端部
【図１】
0003753278.tif 000002
【図２】
0003753278.tif 000003
【図３】
0003753278.tif 000004
【図４】
0003753278.tif 000005
【図５】
0003753278.tif 000006
【図６】
0003753278.tif 000007
【図７】
0003753278.tif 000008
【図８】
0003753278.tif 000009